(57)【要約】  第１のパートに対する制御情報と、第１のパートと第２のパートの両方に対するデータまたは第２のパートのみに対してのデータへの割り当てのために物理リソースを２つのパートに構成することによってスペクトル効率を最大にするために、制御チャネルのオーバーヘッドの低減に注目することによってデータ伝送のための制御リソースの使用を変更する方法、装置、およびコンピュータプログラム製品。第１のパートベースにおけるデータ割り当てが、第２のパートにおけるデータ割り当ておよび第１のパートにおける制御情報割り当てに基づいて得られる。サブフレームまたは伝送時間間隔内の制御シンボルの数は、主としてダウンリンクおよびアップリンク許可シグナリング、ならびにアップリンクＨＡＲＱ  ＡＣＫ／ＮＡＣＫフィードバックのために使用されるダウンリンク制御シグナリング上で最小にされる。オーバーヘッドが唯一の問題でない場合、２つのシンボルの使用が、無線周波数ビーム形成の制限に起因して提案される。
2019523613.tif 000002
【特許請求の範囲】
【請求項１】
アグリゲーションレベルに応じた第１のパートに対する制御情報と、
前記第１のパートと第２のパートの両方に対する、または前記第２のパートに対してのみのデータと、
の１つまたは複数の割り当てユニットへの割り当てのために無線通信システムにおける物理リソースを２つのパートに構成することと、
ダウンリンク制御情報およびデータを含む信号を受信することと、
前記受信したダウンリンク制御情報に基づき、
前記第２のパートにおけるデータ割り当ておよび前記第１のパートにおける制御情報割り当てに基づいて前記第１のパートにおけるデータ割り当てを得ることと
を含む方法。
【請求項２】
前記第１のパートおよび前記第２のパートが、複数の割り当てユニットを含む、請求項１に記載の方法。
【請求項３】
割り当てユニットが、所定量の時間におけるＯＦＤＭＡシンボルおよび周波数における副搬送波を含む、請求項１または２に記載の方法。
【請求項４】
割り当てユニットが、前記第１のパートと前記第２のパートとにおいて異なるサイズを有することができる、請求項１から３までのいずれか１項に記載の方法。
【請求項５】
ダウンリンク制御情報が、前記第１のパートおよび／または前記第２のパートに対するデータ割り当てに関する情報を含む、請求項１から４までのいずれか１項に記載の方法。
【請求項６】
前記構成することが、半静的であり、上位層制御シグナリングを経て与えられる、請求項１から５までのいずれか１項に記載の方法。
【請求項７】
前記第１のパートにデータを前記割り当てることが、制御情報のために使用されない割り当てユニットの指示に基づく、請求項１から６までのいずれか１項に記載の方法。
【請求項８】
別個のＤＣＩフォーマットが、前記第１のパートにおけるデータ伝送をサポートする、請求項１から７までのいずれか１項に記載の方法。
【請求項９】
前記別個のＤＣＩフォーマットの使用は、すべてのアグリゲーションレベルｍからのｎの最低アグリゲーションレベルに対して、前記第１のパートのサイズが、ある所定のサイズよりも小さいことに基づいており、ここで、ｎ＜ｍである、請求項８に記載の方法。
【請求項１０】
ビーム切り替えギャップが、ダウンリンク制御情報を搬送する連続ＯＦＤＭＡシンボル間に含まれる、請求項１から９までのいずれか１項に記載の方法。
【請求項１１】
閾値を超える、より高い待ち時間要件を有するデータ伝送が、前記構成された第１のパート（ｔｈｅ  ｃｏｎｆｉｇｕｒｅｄ  ｔｈｅ  ｆｉｒｓｔ  ｐａｒｔ）である、請求項１から１０までのいずれか１項に記載の方法。
【請求項１２】
少なくとも１つのプロセッサと、
コンピュータプログラムコードを含む少なくとも１つのメモリと
を含む装置であって、
前記少なくとも１つのメモリおよび前記コンピュータプログラムコードが、前記少なくとも１つのプロセッサを用いて、少なくとも以下の
アグリゲーションレベルに応じた第１のパートに対する制御情報と、
前記第１のパートと第２のパートの両方に対する、または前記第２のパートに対してのみのデータと、
の１つまたは複数の割り当てユニットへの割り当てのために無線通信システムにおける物理リソースを２つのパートに構成することと、
ダウンリンク制御情報およびデータを含む信号を受信することと、
前記受信したダウンリンク制御情報に基づき、前記第２のパートにおけるデータ割り当ておよび前記第１のパートにおける制御情報割り当てに基づいて前記第１のパートにおけるデータ割り当てを得ることと
を前記装置に実行させるように構成される、装置。
【請求項１３】
前記第１のパートおよび前記第２のパートが、複数の割り当てユニットを含む、請求項１２に記載の装置。
【請求項１４】
割り当てユニットが、所定量の時間におけるＯＦＤＭＡシンボルおよび周波数における副搬送波を含む、請求項１２または１３に記載の装置。
【請求項１５】
割り当てユニットが、前記第１のパートと前記第２のパートとにおいて異なるサイズを有することができる、請求項１２から１４までのいずれか１項に記載の装置。
【請求項１６】
ダウンリンク制御情報が、前記第１のパートおよび／または前記第２のパートに対するデータ割り当てに関する情報を含む、請求項１２から１５までのいずれか１項に記載の装置。
【請求項１７】
前記構成することが、半静的であり、上位層制御シグナリングを経て与えられる、請求項１２から１６までのいずれか１項に記載の装置。
【請求項１８】
前記第１のパートにデータを前記割り当てることが、制御情報のために使用されない割り当てユニットの指示に基づく、請求項１２から１７までのいずれか１項に記載の装置。
【請求項１９】
別個のＤＣＩフォーマットが、前記第１のパートにおけるデータ伝送をサポートする、請求項１２から１８までのいずれか１項に記載の装置。
【請求項２０】
前記別個のＤＣＩフォーマットの使用は、すべてのアグリゲーションレベルｍからのｎの最低アグリゲーションレベルに対して、前記第１のパートのサイズが、ある所定のサイズよりも小さいことに基づいており、ここで、ｎ＜ｍである、請求項１９に記載の装置。
【請求項２１】
ビーム切り替えギャップが、ダウンリンク制御情報を搬送する連続ＯＦＤＭＡシンボル間に含まれる、請求項１２から２０までのいずれか１項に記載の装置。
【請求項２２】
閾値を超える、より高い待ち時間要件を有するデータ伝送が、前記構成された第１のパート（ｔｈｅ  ｃｏｎｆｉｇｕｒｅｄ  ｔｈｅ  ｆｉｒｓｔ  ｐａｒｔ）である、請求項１２から２１までのいずれか１項に記載の装置。
【請求項２３】
アグリゲーションレベルに応じた第１のパートに対する制御情報と、
前記第１のパートと第２のパートの両方に対する、または前記第２のパートに対してのみのデータと、
の１つまたは複数の割り当てユニットへの割り当てのために無線通信システムにおける物理リソースを２つのパートに構成するためのコードと、
ダウンリンク制御情報およびデータを含む信号を受信するためのコードと、
前記受信したダウンリンク制御情報に基づき、前記第２のパートにおけるデータ割り当ておよび前記第１のパートにおける制御情報割り当てに基づいて前記第１のパートにおけるデータ割り当てを得るためのコードと
を含むコンピュータプログラム。
【請求項２４】
前記コンピュータプログラムが、コンピュータとともに使用するためにコンピュータプログラムコードをその中に担うコンピュータ可読媒体を含むコンピュータプログラム製品上で具現化される、請求項２３に記載のコンピュータプログラム。
【請求項２５】
コンピュータによって実行されたとき請求項１に記載の方法を実行する命令を用いて符号化された非一時的コンピュータ可読媒体。
【請求項２６】
コンピュータによって実行されたとき請求項１から１２までのいずれか１項に記載の方法を実行する命令を用いて符号化されたコンピュータ可読媒体。
【請求項２７】
アグリゲーションレベルに応じた第１のパートに対する制御情報と、
前記第１のパートと第２のパートの両方に対する、または前記第２のパートに対してのみのデータと、
の１つまたは複数の割り当てユニットへの割り当てのために無線通信システムにおける物理リソースを２つのパートに構成するための手段と、
ダウンリンク制御情報およびデータを含む信号を受信するための手段と、
前記受信したダウンリンク制御情報に基づき、前記第２のパートにおけるデータ割り当ておよび前記第１のパートにおける制御情報割り当てに基づいて前記第１のパートにおけるデータ割り当てを得るための手段と
を含む装置。
【発明の詳細な説明】
【技術分野】
【０００１】
本発明は、一般に、プレ５Ｇ（ｐｒｅ−５Ｇ）標準化ならびに３ＧＰＰにおける５Ｇ標準化の一部に関連する無線通信システムに関し、より具体的には、制御チャネルオーバーヘッドの低減に関する。
【背景技術】
【０００２】
この節は、以下で開示する本発明の背景技術または状況を提供するように意図される。本明細書の説明は、追求され得る概念を含んでいるが、必ずしも以前に着想、実施、または記述された概念ではない。それゆえに、本明細書において別途明示されない限り、この節で説明するものは、本出願の説明に対する先行技術でなく、この節に含めることによって先行技術であると認めるものではない。
「リソース内（ｉｎ  ｒｅｓｏｕｒｃｅ）」制御（ＣＴＲＬ）シグナリングの原理は、文献に論じられている。主要な考えは、割り当てられた時間−周波数リソースにおけるユーザへの埋込み「オンザフライ」情報、ならびにデータをデコードするために必要な追加情報を使用することである。物理層（ＰＨＹ）リソース内制御チャネル（ＣＣＨ）は、ユーザへのリソース割り当ての開始時に、第１の時間シンボルにおいて周波数リソースの限定された部分にわたってマッピングされる。
別の知られている概念が、ＬＴＥ  Ｒｅｌ−８に提示されており、ここで、ＰＣＦＩＣＨがＰＤＣＣＨ／ＰＨＩＣＨで利用可能なＯＦＤＭＡシンボルの数を示している。ＰＣＦＩＣＨは、４つの異なる値、１、２、３（および４、それは狭帯域の場合にのみ利用可能である）を含む。ＰＤＳＣＨは、ＰＣＦＩＣＨによって示された次のシンボルから開始する。例えば、２つのシンボルがＰＤＣＣＨに割り当てられる（そしてＰＣＦＩＣＨによって示される）場合、ＰＤＳＣＨは第３のＯＦＤＭＡシンボルから開始することになる。ＵＥは、各サブフレームに含まれるＰＣＦＩＣＨからこの情報を得る。
本発明はこれらの技法を超える。
明細書および／または図面に見いだされる略語は、本文で定義されるか、または発明を実施するための形態の節の後に以下で定義される。
【発明の概要】
【課題を解決するための手段】
【０００３】
この節は、例を含むことを意図しており、限定することを意図していない。以下で詳細に論じるように、本発明は、サブフレームまたは伝送時間間隔（ＴＴＩ）内のデータシンボルの数を最大にすることによってシステムのスペクトル効率（ｓｐｅｃｔｒａｌ  ｅｆｆｉｃｉｅｎｃｙ）を最大にする。
ＵＬ制御プレーン（ＵＬ  ｃｏｎｔｒｏｌ  ｐｌａｎｅ）は、ハイブリッドビーム形成アーキテクチャのボトルネックのうちの１つとなることがあるので、本発明は、少なくとも本明細書で論じるシナリオにおいてリソース使用効率も最大にするために、比較的低い負荷を有する多数のｘＰＤＣＣＨシンボルをさらに含む。
本発明の一実施形態の一例は、
（１）アグリゲーション（ａｇｇｒｅｇａｔｉｏｎ）レベルに応じた第１のパート（ｐａｒｔ）に対する制御情報と、
（２）第１のパートと第２のパートの両方に対する、または第２のパートに対してのみのデータと、
の１つまたは複数の割り当てユニット（ａｌｌｏｃａｔｉｏｎ  ｕｎｉｔｓ）への割り当てのために無線通信システムにおける物理リソースを２つのパートに構成することと、ダウンリンク制御情報およびデータを含む信号を受信することと、受信したダウンリンク制御情報に基づき、第２のパートにおけるデータ割り当ておよび第１のパートにおける制御情報割り当てに基づいて第１のパートにおけるデータ割り当てを得ることとを含む方法である。
本発明の別の実施形態の一例は、少なくとも１つのプロセッサと、コンピュータプログラムコードを含む少なくとも１つのメモリとを含む装置であり、少なくとも１つのメモリおよびコンピュータプログラムコードが、少なくとも１つのプロセッサを用いて、少なくとも以下の、
（１）アグリゲーションレベルに応じた第１のパートに対する制御情報と、
（２）第１のパートと第２のパートの両方に対する、または第２のパートに対してのみのデータと、
の１つまたは複数の割り当てユニットへの割り当てのために無線通信システムにおける物理リソースを２つのパートに構成することと、ダウンリンク制御情報およびデータを含む信号を受信することと、受信したダウンリンク制御情報に基づき、第２のパートにおけるデータ割り当ておよび第１のパートにおける制御情報割り当てに基づいて第１のパートにおけるデータ割り当てを得ることとを装置に実行させるように構成される。
【０００４】
本発明の追加の実施形態の一例は、コンピュータによって実行されたとき、少なくとも以下の、
（１）アグリゲーションレベルに応じた第１のパートに対する制御情報と、
（２）第１のパートと第２のパートの両方に対する、または第２のパートに対してのみのデータと、
の１つまたは複数の割り当てユニットへの割り当てのために無線通信システムにおける物理リソースを２つのパートに構成することと、ダウンリンク制御情報およびデータを含む信号を受信することと、受信したダウンリンク制御情報に基づき、第２のパートにおけるデータ割り当ておよび第１のパートにおける制御情報割り当てに基づいて第１のパートにおけるデータ割り当てを得ることとを制御または実行する命令を提供するように構成されたコンピュータプログラムが記憶される非一時的コンピュータ可読媒体上に具現化されたコンピュータプログラム製品である。
本明細書で開示する本発明のさらなる別の実施形態の一例は、
（１）アグリゲーションレベルに応じた第１のパートに対する制御情報と、
（２）第１のパートと第２のパートの両方に対する、または第２のパートのみに対するデータと、
の１つまたは複数の割り当てユニットへの割り当てのために無線通信システムにおける物理リソースを２つのパートに構成するための手段と、ダウンリンク制御情報およびデータを含む信号を受信するための手段と、受信したダウンリンク制御情報に基づき、第２のパートにおけるデータ割り当ておよび第１のパートにおける制御情報割り当てに基づいて第１のパートにおけるデータ割り当てを得るための手段とを含む装置である。
【図面の簡単な説明】
【０００５】
【図１】例示的な実施形態を実行することができる１つの可能なおよび非限定の例示的システムのブロック図である。
【図２】５Ｇプレ標準によるＤＬサブフレームの時間／周波数構造を示す図である。
【図３】リソース内ＣＴＲＬシグナリングの原理を示す図である。
【図４】（Ａ）ＣＴＲＬおよびデータに利用可能なリソースと（Ｂ）データに使用されるリソースと、との間の時間ドメインリソース分割の一例を示す図である。
【図５】（Ａ）ＣＴＲＬおよびデータに利用可能なリソースと（Ｂ）データに使用されるリソースとの間の周波数ドメインリソース分割の一例を表す図である。
【図６】プレ５Ｇ標準に加えて本発明の一実施形態を実施する一例を示す図である。
【図７】動的セグメンテーションに対する論理流れ図であり、例示的な実施形態による、例示的な方法の動作、コンピュータ可読メモリに具現化されたコンピュータプログラム命令の実行の結果、ハードウェアに実装された論理によって実行される機能、および／または機能を実行するための相互接続される手段を示す図である。
【発明を実施するための形態】
【０００６】
将来の無線通信システムに固有の課題に一層効果的に対処し、現在の状況の欠点のうちのいくつかを克服するために、本発明の例示的な実施形態は、制御チャネルのオーバーヘッドの低減に注目することによってデータ伝送のための制御リソースの使用を変更する。
例えば、１つのサブフレームが１４個のシンボルを含むと仮定すると、２つまたは３つのシンボルのダウンリンク制御ブロックを定義することは、システムのダウンリンク制御シンボルのみからの１４％または２１％のオーバーヘッドを意味することになる（最小は、１４個のシンボルサブフレームごとに１つの制御シンボルを仮定すると７％である）。
したがって、システムのスペクトル効率を最大にするために、目標は、データシンボルを最大にするか、または、例えば、制御シンボルを最小にするというのではなくサブフレームまたはＴＴＩ内のデータシンボルの数を最大にすることである。主としてダウンリンクおよびアップリンク許可（ｇｒａｎｔ）シグナリング、ならびにアップリンクＨＡＲＱ  ＡＣＫ／ＮＡＣＫフィードバックのために使用されるダウンリンク制御シグナリングを考慮すると、必要とされるシンボルの数は最小にされるべきである。
しかしながら、特定のシナリオでは、オーバーヘッドが唯一の問題ではないことに留意されたい。２つのシンボルの使用が、ＲＦビーム形成の制限に起因して必要とされることもある。ハイブリッドビーム形成アーキテクチャの機能はｅＮＢ実施態様によって制限される。
【０００７】
狭いＲＦビームは、一度に１つの方向にのみ働くことができる。そのために、各ＵＥは、一般に、専用ビームリソースを必要とし、その結果、ｘＰＤＣＣＨ多重化容量／シンボルは、送信器ＲＦビームの数によって限定される。ｘＰＤＣＣＨに十分な性能を与えるために、少なくとも２つの（Ｘ−ｐｏｌ）送信器ＲＦビームが、ｘＰＤＣＣＨを送信する１つのＵＥに対して本発明の実施形態によって割り当てられる。実際には、ＵＥ／シンボルの数は、送信器のＲＦビームの数／２に等しい。ｅＮＢで利用可能な受信器ＲＦビームの数は実施態様に依存する。
その一方で、ｘＰＤＣＣＨを受信するＵＥの数は、ｅＮＢスケジューラ決定（ＵＬ／ＤＬの両方をカバーする）に応じて変化する。
要約すると、ＵＬ制御プレーンは、ハイブリッドビーム形成アーキテクチャのボトルネックのうちの１つとなることがある。この理由で、比較的低い負荷を有する多数のｘＰＤＣＣＨシンボルが、少なくともいくつかのシナリオでは必要とされることがある。これらのシナリオにおいてもリソース使用効率を最大にすることは意味をなす。
【０００８】
本発明のさらなる説明を始める前に、例示的な実施形態を実行することができる１つの可能なおよび非限定の例示的システムのブロック図である図１を調べる。
「例示的な」という単語は、本明細書では、「例、実例、または例証として役立つ」ことを意味するように使用されることに留意されたい。「例示的な」として本明細書に記載されたいかなる実施形態も、必ずしも他の実施形態よりも好ましいまたは有利であると解釈されるべきではない。発明を実施するための形態に記載される実施形態のすべては、当業者が本発明を行うかまたは使用することができるように提供される例示的な実施形態であり、特許請求の範囲によって定義される本発明の範囲を限定するものではない。
【０００９】
図１において、ユーザ装置（ＵＥ）１１０は、無線ネットワーク１００と無線通信する。ＵＥは、無線ネットワークにアクセスすることができる無線デバイス、典型的にはモバイルデバイスである。ＵＥ１１０は、１つまたは複数のバス１２７を介して相互接続される１つまたは複数のプロセッサ１２０、１つまたは複数のメモリ１２５、および１つまたは複数のトランシーバ１３０を含む。１つまたは複数のトランシーバ１３０の各々は、受信器Ｒｘ１３２および送信器Ｔｘ１３３を含む。１つまたは複数のバス１２７は、アドレス、データ、または制御バスとすることができ、マザーボードまたは集積回路上の一連のライン、光ファイバ、または他の光通信機器などの相互接続機構を含むことができる。１つまたは複数のトランシーバ１３０は、１つまたは複数のアンテナ１２８に接続される。１つまたは複数のメモリ１２５は、コンピュータプログラムコード１２３を含む。ＹＹＹモジュールは、本明細書で論じるそのような実施形態の方法または例を実行することができる、データ伝送用の制御リソースを使用するための機能を可能にすることに留意されたい。ＵＥ１１０は、いくつかの方法で実施することができる、パーツ１４０−１および／またはパーツ１４０−２の一方または両方を含むＹＹＹモジュール１４０を含む。ＹＹＹモジュール１４０は、１つまたは複数のプロセッサ１２０の一部として実施されるものなどのＹＹＹモジュール１４０−１としてハードウェアで実施することができる。ＹＹＹモジュール１４０−１は、さらに、集積回路として、またはプログラマブルゲートアレイなどの他のハードウェアにより実施することができる。別の例では、ＹＹＹモジュール１４０は、コンピュータプログラムコード１２３として実施されるかまたは１つまたは複数のプロセッサ１２０によって実行されるＹＹＹモジュール１４０−２として実施することができる。例えば、１つまたは複数のメモリ１２５およびコンピュータプログラムコード１２３は、１つまたは複数のプロセッサ１２０を用いて、本明細書で説明するような動作のうちの１つまたは複数をユーザ装置１１０に実行させるように構成することができる。ＵＥ１１０は、無線リンク１１１を介してｅＮＢ１７０と通信する。
【００１０】
ｅＮＢ（発展型ＮｏｄｅＢ：ｅｖｏｌｖｅｄ  Ｎｏｄｅ  Ｂ）１７０は、ＵＥ１１０などの無線デバイスによる無線ネットワーク１００へのアクセスを可能にする基地局（例えば、ＬＴＥ、ロングタームエボリューション、または５Ｇ基地局のための）である。ｅＮＢ１７０は、１つまたは複数のバス１５７を通して相互接続される１つまたは複数のプロセッサ１５２、１つまたは複数のメモリ１５５、１つまたは複数のネットワークインタフェース（Ｎ／Ｗ  Ｉ／Ｆ）１６１、および１つまたは複数のトランシーバ１６０を含む。１つまたは複数のトランシーバ１６０の各々は、受信器Ｒｘ１６２および送信器Ｔｘ１６３を含む。１つまたは複数のトランシーバ１６０は、１つまたは複数のアンテナ１５８に接続される。１つまたは複数のメモリ１５５は、コンピュータプログラムコード１５３を含む。ＺＺＺモジュールは、データ伝送用の制御リソースを使用するための機能を可能にし、本明細書で論じるそのような実施形態の方法または例が実行され得ることに留意されたい。ｅＮＢ１７０は、いくつかの方法で実施することができるパーツ１５０−１および／または１５０−２の一方または両方を含むＺＺＺモジュール１５０を含む。ＺＺＺモジュール１５０は、１つまたは複数のプロセッサ１５２の一部として実施されるものなどのＺＺＺモジュール１５０−１としてハードウェアで実施することができる。ＺＺＺモジュール１５０−１は、さらに集積回路として、またはプログラマブルゲートアレイなどの他のハードウェアにより実施することができる。別の例では、ＺＺＺモジュール１５０は、コンピュータプログラムコード１５３として実施され、１つまたは複数のプロセッサ１５２によって実行されるＺＺＺモジュール１５０−２として実施することができる。例えば、１つまたは複数のメモリ１５５およびコンピュータプログラムコード１５３は、１つまたは複数のプロセッサ１５２を用いて、本明細書で説明するような動作にうちの１つまたは複数をｅＮＢ１７０に実行させるように構成される。１つまたは複数のネットワークインタフェース１６１は、リンク１７６および１３１などを介してネットワークを通して通信する。２つ以上のｅＮＢ１７０は、例えばリンク１７６を使用して通信する。リンク１７６は、有線または無線または両方とすることができ、例えばＸ２インタフェースを実装してもよい。
【００１１】
１つまたは複数のバス１５７は、アドレス、データ、または制御バスとすることができ、マザーボードまたは集積回路上の一連のライン、光ファイバまたは他の光通信機器、無線チャネルなどの相互接続機構を含むことができる。例えば、１つまたは複数のトランシーバ１６０は、リモートラジオヘッド（ＲＲＨ）１９５として実施され、ｅＮＢ１７０の他の要素は物理的にＲＲＨとは異なる場所に存在することができ、１つまたは複数のバス１５７は、ｅＮＢ１７０の他の要素をＲＲＨ１９５に接続するために部分的に光ファイバケーブルとして実施することができる。
【００１２】
本明細書の説明は「セル」が機能を実行することを示していることに留意されたい。しかし、セルを形成するｅＮＢが機能を実行することは明らかである。セルは、ｅＮＢの一部を構成する。すなわち、ｅＮＢ当たり多数のセルがあり得る。例えば、単一のｅＮＢ搬送周波数および関連する帯域幅に対して３つのセルがあり、各セルは、３６０度区域の３分の１をカバーし、その結果、単一のｅＮＢのカバレージエリアは、近似的な楕円形または円形をカバーする。さらに、各セルは単一の搬送波（ｃａｒｒｉｅｒ）に対応することができ、ｅＮＢは多数の搬送波を使用することができる。そこで、搬送波当たり３つの１２０度セルと、２つの搬送波とがある場合、ｅＮＢには合計６つのセルがある。
無線ネットワーク１００は、ネットワーク制御要素（ＮＣＥ）１９０を含むことができ、ネットワーク制御要素（ＮＣＥ）１９０は、ＭＭＥ（モビリティ管理エンティティ）／ＳＧＷ（サービングゲートウェイ）機能を含むことができ、電話ネットワークおよび／またはデータ通信ネットワーク（例えば、インターネット）などのさらなるネットワークとの接続能力を備える。ｅＮＢ１７０は、リンク１３１を介してＮＣＥ１９０に結合される。リンク１３１は、例えば、Ｓ１インタフェースとして実施することができる。ＮＣＥ１９０は、１つまたは複数のバス１８５を通して相互接続される１つまたは複数のプロセッサ１７５、１つまたは複数のメモリ１７１、および１つまたは複数のネットワークインタフェース（Ｎ／Ｗ  Ｉ／Ｆ）１８０を含む。１つまたは複数のメモリ１７１はコンピュータプログラムコード１７３を含む。１つまたは複数のメモリ１７１およびコンピュータプログラムコード１７３は、１つまたは複数のプロセッサ１７５を用いて、ＮＣＥ１９０に１つまたは複数の動作を実行させるように構成される。
【００１３】
無線ネットワーク１００は、ネットワークバーチャリゼーションを実施することができ、ネットワークバーチャリゼーションは、ハードウェアおよびソフトウェアネットワークリソースならびにネットワーク機能を単一のソフトウェアベース管理エンティティ、すなわち、仮想ネットワークに組み合わせるプロセスである。ネットワークバーチャリゼーションは、多くの場合リソースバーチャリゼーションと組み合わされるプラットフォームバーチャリゼーションを含む。ネットワークバーチャリゼーションは、多くのネットワークもしくはネットワークの一部をバーチャルユニットに組み合わせる外部、またはネットワーク様機能を単一システムのソフトウェアコンテナに与える内部のいずれかとして分類される。ネットワークバーチャリゼーションに由来するバーチャル化エンティティは、プロセッサ１５２または１７５、ならびにメモリ１５５および１７１などのハードウェアを使用して、依然としてある程度実施することができ、さらに、そのようなバーチャル化エンティティは技術的効果を生成することに留意されたい。
【００１４】
コンピュータ可読メモリ１２５、１５５、および１７１は、ローカル技術環境に適する任意のタイプとすることができ、任意の好適なデータストレージ技術、例えば、半導体ベースメモリデバイス、フラッシュメモリ、磁気メモリデバイスおよびシステム、光メモリデバイスおよびシステム、固定メモリおよび着脱可能メモリなどを使用して実施することができる。コンピュータ可読メモリ１２５、１５５、および１７１は、ストレージ機能を実行するための手段とすることができる。プロセッサ１２０、１５２、および１７５は、ローカル技術環境に適する任意のタイプとすることができ、非限定の例として、汎用コンピュータ、専用コンピュータ、マイクロプロセッサ、デジタル信号プロセッサ（ＤＳＰ）、およびマルチコアプロセッサアーキテクチャに基づくプロセッサのうちの１つまたは複数を含むことができる。プロセッサ１２０、１５２、および１７５は、ＵＥ１１０、ｅＮＢ１７０、および本明細書で説明する他の機能を制御するなどの機能を実行するための手段とすることができる。
【００１５】
一般に、ユーザ装置１１０の様々な実施形態は、限定はしないが、無線通信機能を有するスマートデバイス、タブレット、携帯情報端末（ＰＤＡ）などのセルラ電話、無線通信機能を有するポータブルコンピュータ、無線通信機能を有するデジタルカメラなどの画像キャプチャデバイス、無線通信機能を有するゲーミングデバイス、無線通信機能を有する音楽ストレージおよび再生アプライアンス、無線インターネットアクセスおよびブラウジングを可能にするインターネットアプライアンス、無線通信機能を有するタブレット、ならびにそのような機能の組合せを組み込んでいるポータブルユニット（ｐｏｒｔａｂｌｅ  ｕｎｉｔｓ）または端末を含むことができる。加えて、ユーザ装置の様々な実施形態は、人間の対話によって大部分使用されないかまたは全く使用されないマシン、発信機、および機器のカテゴリを含む。
本発明では、プレ５Ｇ標準のＤＬ制御チャネルオーバーヘッドを低減させるための新しい方式が示される。
５Ｇプレ標準によるＤＬサブフレームの時間／周波数構造である図２で分かるように、サブフレームは、１つまたは２つのｘＰＤＣＣＨシンボル、すなわち、７／１４％のオーバーヘッド（すなわち、１４個のシンボルのうちの１つまたは２つ）を含んでいる。並列ｘＰＤＣＣＨチャネル間の周波数分割多重（ＦＤＭ）が、各ｘＰＤＣＣＨシンボル内にある。ｘＰＤＣＣＨのための最小割り当てユニットは、１２８個の副搬送波（ｓｕｂ−ｃａｒｒｉｅｒ）に等しく、すなわち、９６個のデータ副搬送波（ＱＰＳＫ変調を仮定すると１９２ビット）と、３２個のパイロット副搬送波（ＦＤＭ層当たり１６個）とである。
【００１６】
特に、アイテム２０２は最小制御割り当てユニットの１２８個の副搬送波を表す。アイテム２０４は、９ｘ１２８個の副搬送波を表す。アイテム２０６は、最小データ割り当てユニットの４８個の副搬送波を表す。アイテム２０８は、１００ＭＨｚ搬送波の２５ｘ４８個の副搬送波を表す。アイテム２１０は、１−２のＯＦＤＭＡシンボルのダウンリンク制御を表す。アイテム２１２は、１３−１３のＯＦＤＭＡシンボルのダウンリンクデータを表す。
単一のユーザは、１つ、２つ、４つ、または８つの割り当てユニットを有することができる。
ＵＥは、ｘＰＤＣＣＨにマッピングすることができる２つのシンボルの両方からダウンリンク制御情報（ＤＣＩ）をサーチする。サーチスペースは、各シンボルについて無関係に共通であり、それは、別個の構成または事前定義された規則によって制限されない場合、ＵＥが２つのシンボルについてすべての候補をモニタすべきであることを意味する。
「リソース内」ＣＴＲＬシグナリングに関して前に論じたように、物理層（ＰＨＹ）リソース内制御チャネル（ＣＣＨ）は、リソース内ＣＴＲＬシグナリングの原理を示す図３に示すように、ユーザに対するリソース割り当ての開始時に、第１の時間シンボルにおいて周波数リソースの限定された部分にわたってマッピングされる。
【００１７】
特に、アイテム３０２は、ダウンリンクスケジューリング許可を有するリソース内制御チャネル（ＣＣＨ）を表し、一方、アイテム３０４はダウンリンクデータペイロードを表す。ＣＣＨコンテンツ概要、すなわち、ＵＥ識別子、データペイロードに対するＰＨＹ構成、ＨＡＲＱ情報、およびＭＩＭＯ情報に留意されたい。
しかしながら、ＵＬ許可が特定の解決策を必要とし、ＵＥブラインド検出負担が課題になることがあることを含む、この手法に関する問題がある。
上述で論じたＬＴＥ  Ｒｅｌ−８の他の概念に関して、ＬＴＥ手法に関する問題は、各シンボルがデータまたは制御のいずれかに割り付けられることを含む。そのために、ＬＴＥ  Ｒｅｌ−８手法は、シンボル内での制御およびデータの多重化（ｍｕｌｔｉｐｌｅｘｉｎｇ）をサポートしない。
これらの方法とは対照的に、本発明は、図４および図５に示すように少なくとも２つのパートに物理リソース、すなわち、（Ａ）制御およびデータ伝送に利用可能なリソース、ならびに（Ｂ）データ伝送のみに利用可能なリソースを構成するＢＳ／システムを有する。そのような構成は、半静的（ｓｅｍｉ−ｓｔａｔｉｃ）であり、上位層（ｈｉｇｈｅｒ  ｌａｙｅｒ）制御シグナリング（システム情報、またはＲＲＣシグナリングなどの）を経て提供され得る。
【００１８】
図４において、アイテム４０２は最小周波数割り当てユニットを表す。アイテム４０４およびアイテム４０６は、それぞれ、パートＡおよびパートＢに利用可能なリソースを表し、すなわち、アイテム４０４は制御およびデータに利用可能なリソースを表し、アイテム４０６はデータに利用可能なリソースを表す。図５において、図中のキー（ｋｅｙ）は、陰影のないブロック５０２を制御およびデータに利用可能なリソースを表すもの、および陰影のあるブロック５０４をデータに利用可能なリソースを表すものとして示す。
パートＡおよびパートＢは多数の割り当てユニットからなる。割り当てユニットは、所定量の時間におけるＯＦＤＭＡシンボルおよび周波数における副搬送波からなる。割り当てユニットは、パートＡとパートＢとにおいて異なるサイズを有することができる。
本発明は、アグリゲーションレベルに応じてＤＣＩをパートＡの１つまたは複数の割り当てユニットに割り当て、データをパートＡとパートＢの両方またはパートＢのみの１つまたは複数の割り当てユニットに割り当てるＢＳを有する。
ＵＥは、パートＡのＤＣＩ候補をモニタする。
ＤＣＩは、パートＡとパートＢの両方のデータ割り当てに関する情報を含むことができる。パートＡのデータ割り当ての情報は、それが、例えば、ＣＴＲＬで使用される割り当てユニットに関するビットマップを含むように逆にすることができる（他のシグナリング解決策、例えば、連続する割り当てユニットの１つまたは多数のクラスタを示すことを可能にするものも同様に使用することができる）。
【００１９】
次いで、ＵＥは、パートＢの周波数割り当てとパートＡのＣＴＲＬに使用される割り当てユニットに関する知識とに基づいて、パートＡのデータの周波数ドメイン割り当てを得る。データトランスポートブロックは、パートＡの予約ＣＴＲＬ制御ブロックのまわりでレートマッチングされ得る。
本発明の１つの例示的な実施形態は、パートＡのデータ伝送をサポートするために別個のＤＣＩフォーマットを有する。別個のＤＣＩを利用すると、データ伝送のためにパートＡを使用する必要がない場合などにＤＣＩフォーマットサイズが小さく保たれる。
上述の例示的な実施形態のさらなる実施形態は、パートＡのサイズが小さいときにアグリゲーションレベルのサブセットに対するＤＣＩフォーマットの使用を制限するために、パートＡであるデータ伝送（ｄａｔａ  ｔｒａｎｓｍｉｓｓｉｏｎ  ｉｓ  ｐａｒｔ  Ａ）をサポートするのに別個のＤＣＩフォーマットを有する。例えば、パートＡのサイズが、ある所定のサイズよりも小さい場合パートＡのデータ伝送をサポートするＤＣＩフォーマットは、すべてのアグリゲーションレベルｍ（ａｌｌ  ａｇｇｒｅｇａｔｉｏｎ  ｌｅｖｅｌｓ  ｍ）からのｎの最低アグリゲーションレベル（ｎ  ｌｏｗｅｓｔ  ａｇｇｒｅｇａｔｉｏｎ  ｌｅｖｅｌｓ）に対して可能である。ここで、ｎ＜ｍである（ｎは、例えば、１または２である）。高いアグリゲーションレベルはパートＡからのリソース要素を消費するので、高いアグリゲーションレベルをもつデータＲＥ（リソース要素）にパートＡを使用するのは、パートＡのＲＥの数が制限されている場合改善をもたらさないことがある。対応して、それらの場合には、ＵＥに対するブラインドデコーディングエフォート（ｂｌｉｎｄ  ｄｅｃｏｄｉｎｇ  ｅｆｆｏｒｔ）を軽減することができる。
【００２０】
本発明の実施形態のさらなる別の例では、ＤＣＩを搬送する第１のＯＦＤＭＡシンボルと第２のＯＦＤＭＡシンボルとの間に（または一般に連続するＯＦＤＭＡシンボルの間に）ビーム切り替えギャップが含まれる。
図５に見られるような本発明の別の例示的な実施形態は、異なるＱｏＳ要件を有するトラフィック間の柔軟な多重化を可能にする。この場合、より高いＱｏＳを有するトラフィックは、ＣＴＲＬ情報と同じように送信される。例えば、ＵＬ  ＣＴＲＬと、スケジュールアクセスされていないデータとの間の多重化、ＵＬ方向のＵＲＬＣＣとＭＢＢとの間の多重化。この場合、より厳しい待ち時間（ｌａｔｅｎｃｙ）要件（例えば、ＵＲＬＣＣ（Ｕｌｔｒａ  Ｒｅｌｉａｂｌｅ  Ｌｏｗ  ｌａｔｅｎｃｙ  Ｃｏｍｍｕｎｉｃａｔｉｏｎ：超高信頼低待ち時間通信））を有するサービスは、領域Ａにおいて送信され、ＭＢＢ（モバイルブロードバンド）は、領域Ｂにおいて、そしてＵＲＬＣＣが存在しない場合には領域Ａにおいてもである。ＵＥは、パートＡのＵＲＬＣＣ候補をモニタする。
【００２１】
図６は、プレ５Ｇ標準に加えて本発明の例示的な実施態様を示す。図６のキー（ｋｅｙ）から分かるように、軽い陰影のブロック６０２はデータ割り当てを表し、一方、暗い陰影のブロック６０４は制御割り当てを表す。図の例では、０．７６％（１００＊１２８／（１４＊１２００）のオーバーヘッドに対して、１つの割り当てユニットのみがＣＴＲＬに割り当てられる。オーバーヘッド削減は、ｘＰＤＣＣＨに割り当てられたＯＦＤＭＡシンボルの数に応じて６または１３％のスループットゲイン（ｔｈｒｏｕｇｈｐｕｔ  ｇａｉｎ）に解釈され得る（ｃａｎ  ｔｒａｎｓｌａｔｅｄ  ｔｏ  ６  ｏｒ  １３％  ｔｈｒｏｕｇｈｐｕｔ  ｇａｉｎ）。必要とされる唯一の変更は、ＣＴＲＬに使用される割り当てユニットのシグナリングに対して（ｔｏ  ｔｈｅ  ｓｉｇｎａｌｉｎｇ）である。シグナリングは、ＣＴＲＬ領域のデータ伝送をサポートするために、１８ビットのビットマップをＤＣＩに加えるまたは追加のＤＣＩフォーマットを導入することによって実現されることができる（ｃａｎ  ｒｅａｌｉｚｅｄ）。必要とされるビットマップは、各ビットが２つの連続するＣＴＲＬ領域を示すようにＸビットまで、例えば、９ビットまで圧縮することもできる。潜在的なＲＦビーム切り替えギャップに関する情報が、さらに、ＤＣＩに含まれてもよい。
本明細書の実施形態は、ソフトウェア（１つまたは複数のプロセッサによって実行される）、ハードウェア（例えば、特定用途向け集積回路）、またはソフトウェアとハードウェアの組合せで実施することができる。一実施形態の一例では、ソフトウェア（例えば、アプリケーションロジック、命令セット）は、様々な従来のコンピュータ可読媒体のうちのいずれか１つで維持される。本明細書の文脈において、「コンピュータ可読媒体」は、例えば、図１で説明および図示したコンピュータの１つの例と共にコンピュータなどの命令実行システム、装置、またはデバイスによってあるいはそれに関連して使用される命令を含む、記憶する、通信する、伝搬する、または移送することができる任意の媒体または手段とすることができる。コンピュータ可読媒体は、コンピュータなどの命令実行システム、装置、またはデバイスによってまたはそれに関連して使用される命令を含む、記憶する、および／または移送することができる任意の媒体または手段とすることができるコンピュータ可読ストレージ媒体（例えば、１０４、１３４、または他のデバイス）を含むことができる。コンピュータ可読ストレージ媒体は、単に伝搬する信号を含まない。
【００２２】
図７は、動的セグメンテーションに対する論理流れ図であり、例示的な方法７００の動作、コンピュータ可読メモリに具現化されたコンピュータプログラム命令の実行の結果、ハードウェアに実装された論理によって実行される機能、および／または例示的な実施形態に従って機能を実行するための相互接続される手段を示す。方法７００の一部または全部は、必要に応じてモジュールＹＹＹまたはモジュールＺＺＺで実行することができる。
ステップ７０２は、
●アグリゲーションレベルに応じた第１のパートに対する制御情報と、
●第１のパートと第２のパートの両方に対する、または第２のパートに対してのみのデータと、
の１つまたは複数の割り当てユニットへの割り当てのために無線通信システムにおける物理リソースを２つのパートに構成することを示す。ステップ７０４は、ダウンリンク制御情報およびデータを含む信号を受信することを示す。ステップ７０４は、受信したダウンリンク制御情報に基づき、第２のパートにおけるデータ割り当ておよび第１のパートにおける制御情報割り当てに基づいて第１のパートにおけるデータ割り当てを得ることを示す。
【００２３】
所望であれば、本明細書で論じる異なる機能は、異なる順序で、および／または互いに同時に実行されてもよい。さらに、所望であれば、上述の機能のうちの１つまたは複数はオプションであってもよく、または組み合わされてもよい。
本発明の様々な態様が独立請求項に記載されているが、本発明の他の態様は、特許請求の範囲に明確に記載された組合せだけではなく、記載された実施形態および／または独立請求項の特徴と従属請求項からの特徴との他の組合せを含む。
以下に示す特許請求の範囲の範囲、解釈、または適用を決して限定することなく、本明細書で開示する例示の実施形態のうちの１つまたは複数からの利点または技術的効果は、いかなるブラインドデコーディングインパクト（ｂｌｉｎｄ  ｄｅｃｏｄｉｎｇ  ｉｍｐａｃｔ）も有することなく、１３％までのスループットゲインである。本明細書で開示する例示の実施形態のうちの１つまたは複数からの別の技術的効果または利点は、この概念の適用がＵＥブラインドデコーディング負担に影響しないことである。本発明の実施形態のさらなる利点または技術的効果は、制御およびデータの一部を確認する機会を維持しながら同じシンボル内での制御およびデータの多重化を可能にすることである。
【００２４】
アイテム１と呼ぶことができる本発明の一実施形態の一例は、
（１）アグリゲーションレベルに応じた第１のパートに対する制御情報と、
（２）第１のパートと第２のパートの両方に対する、または第２のパートに対してのみのデータと、
の１つまたは複数の割り当てユニットへの割り当てのために無線通信システムにおける物理リソースを２つのパートに構成することと、ダウンリンク制御情報およびデータを含む信号を受信することと、受信したダウンリンク制御情報に基づき、第２のパートにおけるデータ割り当ておよび第１のパートにおける制御情報割り当てに基づいて第１のパートにおけるデータ割り当てを得ることとを含む方法である。
アイテム２と呼ぶことができる本発明のさらなる実施形態の一例は、第１のパートおよび第２のパートが複数の割り当てユニットを含むアイテム１の方法である。
アイテム３と呼ぶことができる本発明のさらなる実施形態の一例は、割り当てユニットが、所定量の時間におけるＯＦＤＭＡシンボルおよび周波数における副搬送波を含む、アイテム１または２に記載の方法である。
【００２５】
アイテム４と呼ぶことができる本発明のさらなる実施形態の一例は、割り当てユニットが、第１のパートと第２のパートとにおいて異なるサイズを有することができる、アイテム１からアイテム３までのいずれか１項に記載の方法である。
アイテム５と呼ぶことができる本発明のさらなる実施形態の一例は、ダウンリンク制御情報が、第１のパートおよび／または第２のパートに対するデータ割り当てに関する情報を含む、アイテム１からアイテム４までのいずれか１項に記載の方法である。
アイテム６と呼ぶことができる本発明のさらなる実施形態の一例は、構成することが、半静的であり、上位層制御シグナリングを経て与えられる、アイテム１からアイテム５までのいずれか１項に記載の方法である。
アイテム７と呼ぶことができる本発明のさらなる実施形態の一例は、第１のパートにデータを割り当てることが、制御情報のために使用されない割り当てユニットの指示（ｉｎｄｉｃａｔｉｏｎ）に基づく、アイテム１からアイテム６までのいずれか１項に記載の方法である。
【００２６】
アイテム８と呼ぶことができる本発明のさらなる実施形態の一例は、別個のＤＣＩフォーマットが、第１のパートにおけるデータ伝送をサポートする、アイテム１からアイテム７までのいずれか１項に記載の方法である。
アイテム９と呼ぶことができる本発明のさらなる実施形態の一例は、別個のＤＣＩフォーマットの使用が、すべてのアグリゲーションレベルｍからのｎの最低アグリゲーションレベルに対して、第１のパートのサイズが、ある所定のサイズよりも小さいことに基づいており、ここで、ｎ＜ｍである、アイテム８に記載の方法である。
アイテム１０と呼ぶことができる本発明のさらなる実施形態の一例は、ビーム切り替えギャップが、ダウンリンク制御情報を搬送する連続ＯＦＤＭＡ（ｃｏｎｓｅｃｕｔｉｖｅ  ＯＦＤＭＡ  ｓｙｍｂｏｌｓ）シンボル間に含まれる、アイテム１からアイテム９までのいずれか１項に記載の方法である。
アイテム３と呼ぶことができる本発明のさらなる実施形態の一例は、閾値（ｔｈｒｅｓｈｏｌｄ）を超える、より高い待ち時間要件を有するデータ伝送が、構成された第１のパート（ｔｈｅ  ｃｏｎｆｉｇｕｒｅｄ  ｔｈｅ  ｆｉｒｓｔ  ｐａｒｔ）である、アイテム１から１０までのいずれか１項に記載の方法である。
【００２７】
アイテム１２と呼ぶことができる本発明の別の実施形態の一例は、少なくとも１つのプロセッサと、コンピュータプログラムコードを含む少なくとも１つのメモリとを含む装置であり、少なくとも１つのメモリおよびコンピュータプログラムコードは、少なくとも１つのプロセッサを用いて、少なくとも以下の、
（１）アグリゲーションレベルに応じた第１のパートに対する制御情報と、
（２）第１のパートと第２のパートの両方に対する、または第２のパートに対してのみのデータと、
の１つまたは複数の割り当てユニットへの割り当てのために無線通信システムにおける物理リソースを２つのパートに構成することと、ダウンリンク制御情報およびデータを含む信号を受信することと、受信したダウンリンク制御情報に基づき、第２のパートにおけるデータ割り当ておよび第１のパートにおける制御情報割り当てに基づいて第１のパートにおけるデータ割り当てを得ることとを装置に実行させるように構成される。
アイテム１３と呼ぶことができる本発明の別の実施形態の一例は、第１のパートおよび第２のパートが複数の割り当てユニットを含むアイテム１２の装置である。
アイテム１４と呼ぶことができる本発明の別の実施形態の一例は、割り当てユニットが、所定量の時間におけるＯＦＤＭＡシンボルおよび周波数における副搬送波を含む、アイテム１２または１３に記載の装置である。
アイテム１５と呼ぶことができる本発明の別の実施形態の一例は、割り当てユニットが、第１のパートと第２のパートとにおいて異なるサイズを有することができる、アイテム１２から１４までに記載の装置である。
アイテム１６と呼ぶことができる本発明の別の実施形態の一例は、ダウンリンク制御情報が、第１のパートおよび／または第２のパートに対するデータ割り当てに関する情報を含む、アイテム１２から１５までに記載の装置である。
アイテム１７と呼ぶことができる本発明の別の実施形態の一例は、構成することが、半静的であり、上位層制御シグナリングを経て与えられる、アイテム１２から１６までに記載の装置である。
【００２８】
アイテム１８と呼ぶことができる本発明の別の実施形態の一例は、第１のパートにデータを割り当てることが、制御情報のために使用されない割り当てユニットの指示に基づく、アイテム１２から１７までに記載の装置である。
アイテム１９と呼ぶことができる本発明の別の実施形態の一例は、別個のＤＣＩフォーマットが第１のパートにおけるデータ伝送をサポートする、アイテム１２から１８までに記載の装置である。
アイテム２０と呼ぶことができる本発明の別の実施形態の一例は、別個のＤＣＩフォーマットの使用が、すべてのアグリゲーションレベルｍからのｎの最低アグリゲーションレベルに対して、第１のパートのサイズが、ある所定のサイズよりも小さいことに基づいており、ここで、ｎ＜ｍである、アイテム１９に記載の装置である。
アイテム２１と呼ぶことができる本発明の別の実施形態の一例は、ビーム切り替えギャップが、ダウンリンク制御情報を搬送する連続ＯＦＤＭＡシンボル間に含まれる、アイテム１２から２０までに記載の装置である。
【００２９】
アイテム２２と呼ぶことができる本発明の別の実施形態の一例は、閾値を超える、より高い待ち時間要件を有するデータ伝送が、構成された第１のパート（ｔｈｅ  ｃｏｎｆｉｇｕｒｅｄ  ｔｈｅ  ｆｉｒｓｔ  ｐａｒｔ）である、アイテム１２から２１までに記載の装置である。
アイテム２３と呼ぶことができる本発明の追加の実施形態の一例は、
（１）アグリゲーションレベルに応じた第１のパートに対する制御情報と、
（２）第１のパートと第２のパートの両方に対する、または第２のパートに対してのみのデータと、
の１つまたは複数の割り当てユニットへの割り当てのために無線通信システムにおける物理リソースを２つのパートに構成し、ダウンリンク制御情報およびデータを含む信号を受信し、受信したダウンリンク制御情報に基づき、第２のパートにおけるデータ割り当ておよび第１のパートにおける制御情報割り当てに基づいて第１のパートにおけるデータ割り当てを得るためのコードを含むコンピュータプログラムである。
アイテム２４と呼ぶことができる本発明の追加の実施形態の一例は、コンピュータプログラムが、コンピュータとともに使用するためにコンピュータプログラムコードをその中に担うコンピュータ可読媒体を含むコンピュータプログラム製品上で具現化される、アイテム２３に記載のコンピュータプログラムである。
アイテム２５と呼ぶことができる本発明のさらなる別の実施形態の一例は、コンピュータによって実行されたときアイテム１から１２までのいずれか１項に記載の方法を実行する命令を用いて符号化された非一時的コンピュータ可読媒体である。
【００３０】
アイテム２６と呼ぶことができる本発明のさらなる実施形態の一例は、
（１）アグリゲーションレベルに応じた第１のパートに対する制御情報と、
（２）第１のパートと第２のパートの両方に対する、または第２のパートに対してのみのデータと、
の１つまたは複数の割り当てユニットへの割り当てのために無線通信システムにおける物理リソースを２つのパートに構成し、ダウンリンク制御情報およびデータを含む信号を受信し、受信したダウンリンク制御情報に基づき、第２のパートにおけるデータ割り当ておよび第１のパートにおける制御情報割り当てに基づいて第１のパートにおけるデータ割り当てを得るための手段を含む装置である。
所望であれば、本明細書で論じる異なる機能は、異なる順序で、および／または互いに同時に実行されてもよい。さらに、所望であれば、上述の機能のうちの１つまたは複数はオプションであってもよく、または組み合わされてもよい。
本発明の様々な態様が独立請求項に記載されているが、本発明の他の態様は、特許請求の範囲に明確に記載された組合せだけではなく、記載された実施形態および／または独立請求項の特徴と従属請求項からの特徴との他の組合せを含む。
【００３１】
さらに、本明細書において、上述は本発明の例示の実施形態を説明しているが、これらの説明は限定の意味で考えられるべきでないことに留意されたい。むしろ、添付の特許請求の範囲で定義される本発明の範囲から逸脱することなく行うことができるいくつかの変形および変更がある。
さらに、本明細書において、上述は本発明の例示の実施形態の例を説明しているが、これらの説明は限定の意味で考えられるべきでないことに留意されたい。むしろ、添付の特許請求の範囲で定義される本発明の範囲から逸脱することなく行うことができるいくつかの変形および変更がある。
【００３２】
本明細書において使用される略語のリスト
３ＧＰＰ  第３世代パートナーシッププロジェクト（３ｒｄ  ｇｅｎｅｒａｔｉｏｎ  ｐａｒｔｎｅｒｓｈｉｐ  ｐｒｏｊｅｃｔ）
５Ｇ  第５世代（Ｆｉｆｔｈ  ｇｅｎｅｒａｔｉｏｎ）
ＡＣＫ  確認（Ａｃｋｎｏｗｌｅｄｇｅｍｅｎｔ）
ＡＲＱ  自動反復要求（Ａｕｔｏｍａｔｉｃ  Ｒｅｐｅａｔ−ｒｅＱｕｅｓｔ）
ＢＳ  基地局（Ｂａｓｅ  Ｓｔａｔｉｏｎ）
ＣＢ  競争ベース（Ｃｏｎｔｅｎｔｉｏｎ  ｂａｓｅｄ）
ＤＣＩ  ダウンリンク制御情報（Ｄｏｗｎｌｉｎｋ  Ｃｏｎｔｒｏｌ  Ｉｎｆｏｒｍａｔｉｏｎ）
ＤＬ  ダウンリンク（Ｄｏｗｎｌｉｎｋ）
ＮＡＣＫ  否定確認（Ｎｅｇａｔｉｖｅ−ａｃｋｎｏｗｌｅｄｇｅｍｅｎｔ）
ＵＬ  アップリンク（Ｕｐｌｉｎｋ）
ｅＮＢ  発展型ノードＢ、ＬＴＥにおける基地局ノード（Ｅｖｏｌｖｅｄ  Ｎｏｄｅ  Ｂ，  ｂａｓｅ  ｓｔａｔｉｏｎ  ｎｏｄｅ  ｉｎ  ＬＴＥ）
ＨＡＲＱ  ハイブリッド自動反復要求（Ｈｙｂｒｉｄ  ａｕｔｏｍａｔｉｃ  ｒｅｐｅａｔ  ｒｅｑｕｅｓｔ）
ＬＴＥ  ロングタームエボリューション（Ｌｏｎｇ  ｔｅｒｍ  ｅｖｏｌｕｔｉｏｎ）
ＭＴＣ  ミッションタイプ通信（Ｍｉｓｓｉｏｎ  ｔｙｐｅ  ｃｏｍｍｕｎｉｃａｔｉｏｎ）
ＰＵＳＣＨ  物理アップリンク共有チャネル（Ｐｈｙｓｉｃａｌ  ｕｐｌｉｎｋ  ｓｈａｒｅｄ  ｃｈａｎｎｅｌ）
ＱｏＳ  サービス品質（Ｑｕａｌｉｔｙ  ｏｆ  Ｓｅｒｖｉｃｅ）
ＲｅＴｘ  再送信または再送信すること（Ｒｅｔｒａｎｓｍｉｓｓｉｏｎ  ｏｒ  ｒｅｔｒａｎｓｍｉｔｔｉｎｇ）
Ｒｘ、ＲＸ  受信または受信すること（Ｒｅｃｅｐｔｉｏｎ  ｏｒ  ｒｅｃｅｉｖｉｎｇ）
ＳＰＳ  半永続的スケジューリング（Ｓｅｍｉ−ｐｅｒｓｉｓｔｅｎｔ  ｓｃｈｅｄｕｌｉｎｇ）
ＴＴＩ  伝送時間間隔（Ｔｒａｎｓｍｉｓｓｉｏｎ  ｔｉｍｅ  ｉｎｔｅｒｖａｌ）
Ｔｘ、ＴＸ  送信または送信すること（Ｔｒａｎｓｍｉｓｓｉｏｎ  ｏｒ  ｔｒａｎｓｍｉｔｔｉｎｇ）
ＴＸＲＵ  トランシーバユニット（Ｔｒａｎｓｃｅｉｖｅｒ  Ｕｎｉｔ）
ＵＥ  ユーザ装置（Ｕｓｅｒ  ｅｑｕｉｐｍｅｎｔ）
ＵＬ  アップリンク（Ｕｐｌｉｎｋ）
【図１】
2019523613.tif 000003
【図２】
2019523613.tif 000004
【図３】
2019523613.tif 000005
【図４】
2019523613.tif 000006
【図５】
2019523613.tif 000007
【図６】
2019523613.tif 000008
【図７】
2019523613.tif 000009
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
無線通信システムにおける物理リソースに関する構成情報を受信することであり、前記物理リソースが第１のパートおよび第２のパートに構成され、前記第１のパートが、アグリゲーションレベルに応じて制御情報およびデータに対する１つまたは複数の割り当てユニットを含み、前記第２のパートが、データに対する１つまたは複数の割り当てユニットを含む、受信することと、
ダウンリンク制御情報およびデータ伝送を受信することと、
前記受信したダウンリンク制御情報に基づき、前記第２のパートにおける前記データ伝送に対する割り当ておよび前記第１のパートにおける前記制御情報に対する割り当てに基づいて前記第１のパートにおける前記データ伝送に対する割り当てを得ることと
を含む方法。
【請求項２】
シンボル内で前記ダウンリンク制御情報および前記データ伝送を多重化することを含む、請求項１に記載の方法。
【請求項３】
割り当てユニットが、所定量の時間におけるＯＦＤＭＡシンボルおよび周波数における副搬送波を含む、請求項１または２に記載の方法。
【請求項４】
割り当てユニットが、前記第１のパートと前記第２のパートとにおいて異なるサイズを有する、請求項１から３までのいずれか１項に記載の方法。
【請求項５】
前記ダウンリンク制御情報が、前記第１のパートおよび／または前記第２のパートにおける前記データ伝送に対する前記割り当てに関する情報を含む、請求項１から４までのいずれか１項に記載の方法。
【請求項６】
前記構成情報が、半静的であり、上位層制御シグナリングを経て与えられる、請求項１から５までのいずれか１項に記載の方法。
【請求項７】
前記第１のパートへのデータ割り当てが、前記制御情報のために使用されない割り当てユニットの指示に基づく、請求項１から６までのいずれか１項に記載の方法。
【請求項８】
別個のＤＣＩフォーマットが、前記第１のパートにおける前記データ伝送をサポートする、請求項１から７までのいずれか１項に記載の方法。
【請求項９】
前記別個のＤＣＩフォーマットの使用は、すべてのアグリゲーションレベルｍからのｎの最低アグリゲーションレベルに対して、前記第１のパートのサイズが、ある所定のサイズよりも小さいことに基づいており、ここで、ｎ＜ｍである、請求項８に記載の方法。
【請求項１０】
ビーム切り替えギャップが、前記ダウンリンク制御情報を搬送する連続ＯＦＤＭＡシンボル間に含まれる、請求項１から９までのいずれか１項に記載の方法。
【請求項１１】
閾値を超える、より高い待ち時間要件を有する前記データ伝送が、前記第１のパートにおいて構成される、請求項１から１０までのいずれか１項に記載の方法。
【請求項１２】
少なくとも１つのプロセッサと、
コンピュータプログラムコードを含む少なくとも１つのメモリと
を含む装置であって、
前記少なくとも１つのメモリおよび前記コンピュータプログラムコードが、前記少なくとも１つのプロセッサを用いて、少なくとも以下の
無線通信システムにおける物理リソースに関する構成情報を受信することであり、前記物理リソースが第１のパートおよび第２のパートに構成され、前記第１のパートが、アグリゲーションレベルに応じて制御情報およびデータに対する１つまたは複数の割り当てユニットを含み、前記第２のパートが、データに対する１つまたは複数の割り当てユニットを含む、受信することと、
ダウンリンク制御情報およびデータ伝送を受信することと、
前記受信したダウンリンク制御情報に基づき、前記第２のパートにおける前記データ伝送に対する割り当ておよび前記第１のパートにおける前記制御情報に対する割り当てに基づいて前記第１のパートにおける前記データ伝送に対する割り当てを得ることと
を前記装置に実行させるように構成される、装置。
【請求項１３】
前記少なくとも１つのメモリおよび前記コンピュータプログラムコードが、前記少なくとも１つのプロセッサを用いて、シンボル内での前記ダウンリンク制御情報および前記データ伝送の多重化を前記装置に実行させるように構成される、請求項１２に記載の装置。
【請求項１４】
割り当てユニットが、所定量の時間におけるＯＦＤＭＡシンボルおよび周波数における副搬送波を含む、請求項１２または１３に記載の装置。
【請求項１５】
割り当てユニットが、前記第１のパートと前記第２のパートとにおいて異なるサイズを有する、請求項１２から１４までのいずれか１項に記載の装置。
【請求項１６】
ダウンリンク制御情報が、前記第１のパートおよび／または前記第２のパートにおける前記データ伝送に対する前記割り当てに関する情報を含む、請求項１２から１５までのいずれか１項に記載の装置。
【請求項１７】
前記構成することが、半静的であり、上位層制御シグナリングを経て与えられる、請求項１２から１６までのいずれか１項に記載の装置。
【請求項１８】
前記第１のパートへのデータ割り当てが、前記制御情報のために使用されない割り当てユニットの指示に基づく、請求項１２から１７までのいずれか１項に記載の装置。
【請求項１９】
別個のＤＣＩフォーマットが、前記第１のパートにおける前記データ伝送をサポートする、請求項１２から１８までのいずれか１項に記載の装置。
【請求項２０】
前記別個のＤＣＩフォーマットの使用は、すべてのアグリゲーションレベルｍからのｎの最低アグリゲーションレベルに対して、前記第１のパートのサイズが、ある所定のサイズよりも小さいことに基づいており、ここで、ｎ＜ｍである、請求項１９に記載の装置。
【請求項２１】
ビーム切り替えギャップが、前記ダウンリンク制御情報を搬送する連続ＯＦＤＭＡシンボル間に含まれる、請求項１２から２０までのいずれか１項に記載の装置。
【請求項２２】
閾値を超える、より高い待ち時間要件を有する前記データ伝送が、前記第１のパートに構成される、請求項１２から２１までのいずれか１項に記載の装置。
【請求項２３】
無線通信システムにおける物理リソースに関する構成情報を受信するためのコードであり、前記物理リソースが第１のパートおよび第２のパートに構成され、前記第１のパートが、アグリゲーションレベルに応じて制御情報およびデータに対する１つまたは複数の割り当てユニットを含み、前記第２のパートが、データに対する１つまたは複数の割り当てユニットを含む、コードと、
ダウンリンク制御情報およびデータ伝送を受信するためのコードと、
前記受信したダウンリンク制御情報に基づき、前記第２のパートにおける前記データ伝送に対する割り当ておよび前記第１のパートにおける前記制御情報に対する割り当てに基づいて前記第１のパートにおける前記データ伝送に対する割り当てを得るためのコードと
を含むコンピュータプログラム。
【請求項２４】
前記コンピュータプログラムが、コンピュータとともに使用するためにコンピュータプログラムコードをその中に担うコンピュータ可読媒体上で具現化される、請求項２３に記載のコンピュータプログラム。
【請求項２５】
コンピュータによって実行されたとき請求項１に記載の方法を実行する命令を用いて符号化された非一時的コンピュータ可読媒体。
【請求項２６】
コンピュータによって実行されたとき請求項１から１２までのいずれか１項に記載の方法を実行する命令を用いて符号化されたコンピュータ可読媒体。
【請求項２７】
無線通信システムにおける物理リソースに関する構成情報を受信するための手段であり、前記物理リソースが第１のパートおよび第２のパートに構成され、前記第１のパートが、アグリゲーションレベルに応じて制御情報およびデータに対する１つまたは複数の割り当てユニットを含み、前記第２のパートが、データに対する１つまたは複数の割り当てユニットを含む、手段と、
ダウンリンク制御情報およびデータ伝送を受信するための手段と、
前記受信したダウンリンク制御情報に基づき、前記第２のパートにおける前記データ伝送に対する割り当ておよび前記第１のパートにおける前記制御情報に対する割り当てに基づいて前記第１のパートにおける前記データ伝送に対する割り当てを得るための手段と
を含む装置。
【国際調査報告】
2019523613.tif 000010
2019523613.tif 000011
2019523613.tif 000012